(57)【要約】 【課題】  高精細化が可能な三電極面放電方式交流型ＰＤＰを提供する。【解決手段】  前面ガラス基板１０の内面側に列電極Ｄ１が形成されて第１誘電体層１１によって被覆され、この第１誘電体層１１上に、列方向に隣接する放電セルＣ１の間に位置される誘電体横層部１２Ａと行方向に隣接する放電セルＣ１の間に位置される誘電体縦層部１２Ｂとによって略格子形状に成形された第２誘電体層１２が形成され、この第２誘電体層１２の誘電体横層部１２Ａ内に、行電極対（Ｘ１，Ｙ１）の行電極Ｘ１とＹ１が、前面ガラス基板１０の厚さ方向に沿って並設された状態で配置されている。【選択図】    図５
2006302744.tif 000002
【特許請求の範囲】
【請求項１】
放電空間を介して互いに対向する一対の基板と、この一対の基板の間に配置されて行方向に延びるとともに列方向に並設された複数の行電極対および列方向に延びるとともに行方向に並設された複数の列電極とを備え、行電極対と列電極によってそれぞれ放電が行われる複数の単位発光領域が放電空間内にマトリクス状に形成されたプラズマディスプレイパネルにおいて、
前記一対の基板のうちの一方の基板の内面側に、この一方の基板側から他方の基板側に突出するとともに列方向に隣接する単位発光領域の間の位置において行方向に延びる横層部を有する行電極用誘電体層が形成され、
この行電極用誘電体層の横層部内に、行電極対を構成する一対の行電極が、一方の基板の厚さ方向に沿って並設された状態で配置されている、
ことを特徴とするプラズマディスプレイパネル。
【請求項２】
前記行電極用誘電体層が、行方向に隣接する単位発光領域の間の位置において列方向に延びる縦層部を有し、この縦層部と横層部によって略格子形状に成形されている請求項１に記載のプラズマディスプレイパネル。
【請求項３】
前記一対の基板のうちの他方の基板の内面側に、行電極用誘電体層の横層部に対向する位置において行方向に延びる横壁部と縦層部に対向する位置において列方向に延びる縦壁部とによって略格子形状に成形された隔壁が形成され、この隔壁と行電極用誘電体層とによって、放電空間が単位発光領域毎に区画されている請求項２に記載のプラズマディスプレイパネル。
【請求項４】
前記列電極が一方の基板の内面側に形成されて列電極用誘電体層によって被覆され、この列電極用誘電体層の放電空間側に行電極用誘電体層が形成されている請求項１に記載のプラズマディスプレイパネル。
【請求項５】
前記行電極対を構成する行電極のうち列電極との間で発光させる単位発光領域を選択するためのアドレス放電を行う一方の行電極が、他方の行電極に対して列電極に近接する側に配置されている請求項１に記載のプラズマディスプレイパネル。
【請求項６】
前記行電極対を構成する行電極のうち列電極との間で発光させる単位発光領域を選択するための列電極を行う一方の行電極が、他方の行電極に対して一方の基板に近接する側に配置されている請求項４に記載のプラズマディスプレイパネル。
【請求項７】
前記行電極対が、行電極用誘電体層の横層部内において、列方向の両側に位置する単位発光領域のうち各行電極対のそれぞれ対応する単位発光領域側に列方向にオフセットして配置されている請求項１に記載のプラズマディスプレイパネル。
【請求項８】
前記行電極対が、行電極用誘電体層の横層部内において、隔壁の横壁部よりも各行電極対のそれぞれ対応する単位発光領域側に張り出した位置に配置されている請求項３に記載のプラズマディスプレイパネル。
【請求項９】
前記行電極対を構成する各行電極が、それぞれ行方向に帯状に延びる複数の電極部分に分割されている請求項１に記載のプラズマディスプレイパネル。
【請求項１０】
前記行電極対を構成する各行電極の複数の電極部分が、それぞれ、一方の基板の厚さ方向に沿って並設されている請求項９に記載のプラズマディスプレイパネル。
【請求項１１】
前記他方の基板の内面側に白色の誘電体層が形成され、この白色の誘電体層上に隔壁が形成され、白色の誘電体層上および隔壁の横壁部と縦壁部の側面に単位発光領域毎に蛍光体層が形成されている請求項３に記載のプラズマディスプレイパネル。
【請求項１２】
前記一方の基板が、パネル面を構成する前面側の基板である請求項１に記載のプラズマディスプレイパネル。
【発明の詳細な説明】
【技術分野】
【０００１】
この発明は、プラズマディスプレイパネルのパネル構造に関する。
【背景技術】
【０００２】
図１ないし３は、従来の三電極面放電方式交流型プラズマディスプレイパネル（以下、ＰＤＰという）の構成を示しており、図１はこの従来のＰＤＰの正面図であり、図２は図１のＶ−Ｖ線における断面図，図３は図１のＷ−Ｗ線における断面図である。
【０００３】
この図１ないし３において、ＰＤＰの表示面を形成する前面ガラス基板１の背面に、複数の行電極対（Ｘ，Ｙ）が、前面ガラス基板１の行方向（図１の左右方向）に延びるように平行に配列されている。
【０００４】
行電極Ｘ（Ｙ）は、Ｔ字形状に形成されたＩＴＯ等の透明導電膜からなる透明電極Ｘａ（Ｙａ）と、前面ガラス基板１の行方向に延びて透明電極Ｘａ（Ｙａ）の狭小の基端部に接続された金属膜からなるバス電極Ｘｂ（Ｙｂ）とによって構成されている。
【０００５】
この行電極ＸとＹは、前面ガラス基板１の列方向（図１の上下方向）に交互に配列されており、バス電極ＸｂとＹｂに沿って並列されたそれぞれの透明電極ＸａとＹａが、互いに対となる相手の行電極側に延びて、透明電極ＸａとＹａの幅広部の頂辺が、それぞれ所要の幅の放電ギャップｇを介して互いに対向されている。
【０００６】
前面ガラス基板１の背面には、行電極Ｘ，Ｙを被覆するように誘電体層２が形成されており、この誘電体層２の背面には、互いに隣接する行電極対（Ｘ，Ｙ）の背中合わせに隣り合うバス電極ＸｂおよびＹｂに対向する位置、および、この隣り合うバス電極ＸｂとＹｂの間の領域部分に対向する位置に、誘電体層２の背面側に突出する嵩上げ誘電体層３が、バス電極Ｘｂ，Ｙｂと平行に延びるように形成されている。
【０００７】
そして、この誘電体層２と嵩上げ誘電体層３の背面側には、ＭｇＯからなる保護層４が形成されている。
【０００８】
一方、前面ガラス基板１と放電空間Ｓを介して平行に配置された背面ガラス基板５の表示側の面上には、列電極Ｄが、各行電極対（Ｘ，Ｙ）の互いに対になっている透明電極ＸａおよびＹａに対向する位置において行電極対（Ｘ，Ｙ）と直交する方向（列方向）に延びるように、互いに所定の間隔を開けて平行に並設されている。
【０００９】
背面ガラス基板５の表示側の面上には、さらに、列電極Ｄを被覆する白色の列電極保護層(誘電体層）６が形成され、この列電極保護層６上に、列方向に延びる縦壁部７Ａと行方向に延びる横壁部７Ｂとによって略格子形状に成形された隔壁７が形成されている。
【００１０】
そして、この略格子形状の隔壁７によって、前面ガラス基板１と背面ガラス基板６の間の放電空間Ｓが、各行電極対（Ｘ，Ｙ）において互いに対になっている透明電極ＸａとＹａに対向する部分に形成される放電セルＣ毎に、それぞれ方形に区画されている。
【００１１】
各放電セルＣ内において、隔壁７の縦壁部７Ａおよび横壁部７Ｂの側面と列電極保護層６の表面には、これらの五つの面を全て覆うように蛍光体層８が形成されており、この蛍光体層８の色は、各放電セルＣ毎に赤，緑，青の三原色に色分けされて、これらが行方向に順に並ぶように配列されている。
【００１２】
前面ガラス基板１と背面ガラス基板５との間の放電空間Ｓ内には、キセノン・ガスを含む放電ガスが封入されている。
【００１３】
上記ＰＤＰは、行電極ＸとＹ間または行電極Ｙと列電極Ｄ間においてリセット放電が行われた後、行電極Ｙの透明電極Ｙａと列電極Ｄ間において選択的にアドレス放電が行われて、このアドレス放電が行われた放電セルＣに対向する誘電体層２に壁電荷が形成される。
【００１４】
この状態で各行電極対（Ｘ，Ｙ）の行電極ＸとＹに交互にサステイン・パルスが印加されて、誘電体層２に壁電荷が形成されている放電セルＣ（発光セル）内においてサステイン放電が発生される。
【００１５】
そして、このサステイン放電によって、発光セル内の放電ガス中のキセノン・ガスから真空紫外線が放射され、この真空紫外線によって、それぞれ赤，緑，青に色分けされている蛍光体層８が励起されて発光することにより、マトリクス表示による画像の形成が行われる（例えば特許文献１参照）。
【００１６】
上記のような構成の三電極面放電方式交流型ＰＤＰにおいて、パネルの高精細化を図ることにより、ＸＧＡの解像度（１０２４×７６８ピクセル）から解像度を向上させようとする場合に、パネル面の画素数および表示ライン数が増加されるのに伴って、放電セルＣのそれぞれのサイズが小さくなってゆく。
【００１７】
このため、パネルの高精細化に伴って行電極Ｘ，Ｙおよび列電極Ｄの電極面積を減少させる必要が生じ、これによって、安定した放電を発生させることが出来なくなる虞があり、さらに、行電極ＸとＹ間に、所要の発光効率を維持するのに必要な大きさの放電ギャップを確保することが困難になるという問題が発生する。
【００１８】
【特許文献１】特開平５−２０５６４２号公報
【発明の開示】
【発明が解決しようとする課題】
【００１９】
この発明は、上記のような従来の三電極面放電方式交流型ＰＤＰにおいて発生する問題点を解決することをその技術的課題の一つとしている。
【課題を解決するための手段】
【００２０】
この発明（請求項１に記載の発明）によるＰＤＰは、上記目的を達成するために、放電空間を介して互いに対向する一対の基板と、この一対の基板の間に配置されて行方向に延びるとともに列方向に並設された複数の行電極対および列方向に延びるとともに行方向に並設された複数の列電極とを備え、行電極対と列電極によってそれぞれ放電が行われる複数の単位発光領域が放電空間内にマトリクス状に形成されたプラズマディスプレイパネルにおいて、前記一対の基板のうちの一方の基板の内面側に、この一方の基板側から他方の基板側に突出するとともに列方向に隣接する単位発光領域の間の位置において行方向に延びる横層部を有する行電極用誘電体層が形成され、この行電極用誘電体層の横層部内に、行電極対を構成する一対の行電極が、一方の基板の厚さ方向に沿って並設された状態で配置されていることを特徴としている。
【発明を実施するための最良の形態】
【００２１】
この発明は、前面ガラス基板の内面側に列電極が形成されて第１誘電体層（列電極用誘電体層）によって被覆され、この第１誘電体層上に、列方向に隣接する放電セルの間の位置において行方向に延びる誘電体横層部と行方向に隣接する放電セルの間の位置において列方向に延びる誘電体縦層部とによって略格子形状に成形された第２誘電体層（行電極用誘電体層）が形成され、この第２誘電体層の誘電体横層部内に、行電極対を構成する一対の行電極が、前面ガラス基板の厚さ方向に沿って並設された状態で配置されているＰＤＰを、その最良の実施形態としている。
【００２２】
この実施形態のＰＤＰは、行電極対を構成する一対の行電極が、略格子形状に成形されて放電空間を放電セル毎に区画する第２誘電体層の誘電体横壁部内に前面ガラス基板の厚さ方向に並設された状態で配置されていることによって、パネルの高精細化に伴って各放電セルのサイズが小さくなる場合でも、各行電極の放電に必要な電極面積を確保したり、行電極対に必要な大きさの放電ギャップを確保することが可能であり、これによって、行電極対の形成条件による制約を受けることなく、パネルの高精細化を図ることが出来るようになる。
【００２３】
さらに、従来のＰＤＰと比べて行電極が配置されるパネル面の非表示領域の面積が縮小されるので、各放電セルの開口率を維持したまま高精細化を図ったり、同じ解像度のＰＤＰを構成する場合に各放電セルの開口率を増加させて、輝度の向上を図ったりすることが可能になる。
【実施例１】
【００２４】
図４ないし６は、この発明によるＰＤＰの実施形態における第１実施例を示しており、図４はこの第１実施例におけるＰＤＰを模式的に示す正面図、図５は図２のＶ１−Ｖ１線における断面図，図６は同例の電極が配置された前面ガラス基板を背面側から見た斜視図である。
【００２５】
この図４ないし６において、表示面を構成する前面ガラス基板１０の背面（内面）上に、列方向（図４において上下方向）に延びる帯状の透明な列電極Ｄ１が、複数本、行方向（図４において左右方向）に等間隔に並設された状態で形成されている。
【００２６】
さらに、この前面ガラス基板１０の背面上には、第１誘電体層１１が形成されていて、この第１誘電体層１１によって列電極Ｄ１が被覆されている。
【００２７】
この第１誘電体層１１の背面上には、略格子形状に成形された第２誘電体層１２が、第１誘電体層１１の背面から前面ガラス基板１０と反対側に突出した状態で形成されている。
【００２８】
すなわち、この第２誘電体層１２は、行方向に帯状に延びる誘電体横層部１２Ａと、列方向に帯状に延びる誘電体縦層部１２Ｂとを有し、誘電体横層部１２Ａが、列方向に所要の間隔を開けて等間隔に並設され、誘電体縦層部１２Ｂが、それぞれ隣接する列電極Ｄ１の間の中間位置に対向する位置に位置されて行方向に等間隔に並設されており、この誘電体横層部１２Ａと誘電体縦層部１２Ｂによって、第１誘電体層１１の背面側の空間をそれぞれ方形に仕切っている。
【００２９】
この第２誘電体層１２の各誘電体横層部１２Ａ内に、それぞれ、行方向に延びる行電極対（Ｘ１，Ｙ１）が、この第２誘電体層１２によって被覆された状態で形成されている。
【００３０】
そして、この行電極対（Ｘ１，Ｙ１）を構成する帯状の行電極Ｘ１と行電極Ｙ１は、行電極Ｘ１に対して行電極Ｙ１が前面ガラス基板１０側に位置された状態で、前面ガラス基板１０の厚さ方向において互いに所要の間隔（放電ギャップｇ１）を開けて平行に延びるように並設されているとともに、誘電体横層部１２Ａ内において、前面ガラス基板１０の厚さ方向の中心線αに対して一方の側（この例では、図５において左側）にオフセットした位置に配置されている。
【００３１】
この第２誘電体層１２および第１誘電体層１１の表面は、ＭｇＯ等の高γ誘電体によって形成された図示しない保護層によって被覆されている。
【００３２】
一方、前面ガラス基板１０と放電空間を介して対向する背面ガラス基板１３の表示側の面上には、白色の誘電体層１４が形成されており、この白色誘電体層１４によって背面ガラス基板１３の前面ガラス基板１０に対向する側の面が被覆されている。
【００３３】
この白色誘電体層１４の表示側の面上には、前面ガラス基板１０側の第２誘電体層１２の誘電体横層部１２Ａに対向する位置において行方向に延びる帯状の横壁１５Ａと、誘電体縦層部１２Ｂに対向する位置において列方向に延びる帯状の縦壁１５Ｂとによって構成される略格子状の隔壁１５が形成されている。
【００３４】
そして、この隔壁１５の横壁１５Ａの頂面が第２誘電体層１２の誘電体横層部１２Ａの頂面に当接され、縦壁１５Ｂの頂面が第２誘電体層１２の誘電体縦層部１２Ｂの頂面に当接されており、このそれぞれ略格子形状に形成された隔壁１５と第２誘電体層１２とによって、前面ガラス基板１０と背面ガラス基板１３の間の放電空間が方形に区画されて、それぞれ放電セルＣ１が形成されている。
【００３５】
この隔壁１５の横壁１５Ａは、第２誘電体層１２の誘電体横層部１２Ａに対して、前面ガラス基板１の厚さ方向の中心線αよりも行電極対（Ｘ１，Ｙ１）と反対側（この例では、図５において右側）にオフセットした位置において当接されており、従って、誘電体横層部１２Ａ内に形成されている行電極対（Ｘ１，Ｙ１）が、隔壁１５の横壁１５Ａよりも対応する放電セルＣ１内に張り出した状態で、配置されている。
【００３６】
なお、第２誘電体層１２または隔壁１５の一部に凹部等を設けたり、第２誘電体層１２の誘電体横層部１２Ａと第２誘電体層１２および隔壁１５の横壁１５Ａと横壁１５Ｂの何れかをその高さが他よりも低くなるように形成するなどの手法によって、第２誘電体層１２と隔壁１５の間に隙間を形成して、行方向または列方向において隣接している放電セルＣ１間を、排気や放電発生の際のプライミング効果を発揮させるために、互いに連通させるようにしても良い。
【００３７】
放電セルＣ１に面する隔壁１５の横壁１５Ａおよび縦壁１５Ｂの側面と白色誘電体層１４の表面には、これらの五つの面を全て覆うように蛍光体層１６が形成されており、この蛍光体層１６の色は、各放電セルＣ１毎に赤，緑，青の三原色が行方向に順に並ぶように配列されている。
【００３８】
そして、前面ガラス基板１０と背面ガラス基板１３の間の放電空間内には、キセノン・ガスを含む放電ガスが封入されている。
【００３９】
上記ＰＤＰにおける画像形成は、以下のようにして行われる。
【００４０】
すなわち、一斉リセット期間の後のアドレス期間において、行電極Ｙ１に走査パルスが印加されるとともに、列電極Ｄ１に映像信号の表示データに対応したデータ・パルスが印加されて、選択的に列電極Ｄ１と行電極Ｙ１の間でアドレス放電ａｄが発生され、これによって、第１誘電体層１１および第２誘電体層１２の表面に壁電荷が形成された放電セル（発光セル）Ｃ１と、壁電荷が形成されていない放電セル（非発光セル）Ｃ１とが、パネル面に分布される。
【００４１】
この後、次のサステイン期間において、第２誘電体層１２の誘電体横層部１２Ａ内に前面ガラス基板１０の厚さ方向に並設された行電極Ｘ１とＹ１にサステイン・パルスが交互に印加されて、第１誘電体層１１および第２誘電体層１２の表面に壁電荷が形成されている発光セルＣ１内において、行電極Ｘ１とＹ１の間でサステイン放電ｓｄが発生される。
【００４２】
そして、この発光セルＣ１内において発生されるサステイン放電ｓｄによって放電ガス中のキセノン・ガスから真空紫外線が放射され、赤，緑，青に色分けされている蛍光体層１６が励起されて発光することにより、マトリクス表示による画像形成が行われる。
【００４３】
上記ＰＤＰによれば、行電極対（Ｘ１，Ｙ１）を構成する行電極Ｘ１とＹ１が、隔壁１５とともに放電空間を放電セルＣ１毎に区画する第２誘電体層１２の誘電体横層部１２Ａ内に前面ガラス基板１０の厚さ方向に並設された状態で配置されていることによって、パネルの高精細化に伴って各放電セルＣ１のサイズが小さくなる場合でも、行電極Ｘ１，Ｙ１の放電に必要な電極面積を確保したり、この行電極Ｘ１とＹ１間に必要な大きさの放電ギャップを確保することが可能になり、これによって、行電極対（Ｘ１，Ｙ１）の形成条件による制約を受けることなく、パネルの高精細化を図ることが出来るようになる。
【００４４】
また、従来のＰＤＰと比べて行電極が配置されるパネル面の非表示領域の面積が縮小されるので、各放電セルＣ１の開口率を維持したまま高精細化を図ったり、同じ解像度のＰＤＰを構成する場合に各放電セルＣ１の開口率を増加させて、輝度の向上を図ったりすることが可能になる。
【００４５】
さらに、上記ＰＤＰによれば、行電極対（Ｘ１，Ｙ１）が、誘電体横層部１２Ａ内において前面ガラス基板１０の厚さ方向の中心線αに対して対応する放電セルＣ１の側にオフセットして、隔壁１５の横壁１５Ａよりも放電セルＣ１内に張り出した位置に配置されているので、サステイン放電が対応する放電セルＣ１内において発生し易くなる。
【００４６】
さらに、上記ＰＤＰによれば、行電極対（Ｘ１，Ｙ１）のうちアドレス放電ａｄを発生させる行電極Ｙ１が、行電極Ｘ１よりも前面ガラス基板１側に配置されているので、アドレス放電ａｄを発生させる行電極Ｙ１と列電極Ｄ１との間の間隔が短くなり、アドレス放電開始電圧の上昇を抑えることが出来る。
【実施例２】
【００４７】
図７および８は、この発明によるＰＤＰの実施形態の第２実施例を示しており、図７はこの第２実施例におけるＰＤＰを第１実施例の図５と同じ位置において断面した図であり、図８は同例の電極が配置された前面ガラス基板を背面側から見た斜視図である。
【００４８】
この図７および８において、略格子形状の第２誘電体層１２の誘電体横層部１２Ａ内に形成されている行電極対（Ｘ２，Ｙ２）の各行電極Ｘ２とＹ２が、それぞれ、前面ガラス基板１０の厚さ方向に等間隔に並ぶように配列された複数本の分割行電極Ｘ２ａ，Ｙ２ａ（図示の例では、それぞれ三本ずつの分割行電極Ｘ２ａ，Ｙ２ａ）によって構成されている。
【００４９】
そして、三本の分割行電極Ｙ２ａによって構成される行電極Ｙ２が、同じく三本の分割行電極Ｘ２ａによって構成される行電極Ｘ２に対して前面ガラス基板１０側に配置されており、この行電極Ｘ２とＹ２の互いに隣接する内側の分割行電極Ｘ２ａとＹ２ａの間に所要の間隔の放電ギャップｇ２が形成されている。
【００５０】
他の部分の構成については、第１実施例の場合とほぼ同様であり、この第１実施例のＰＤＰと同一の構成部分については、図７および８において図４ないし６と同一の符号が付されている。
【００５１】
上記ＰＤＰは、行電極対（Ｘ２，Ｙ２）が、略格子形状の第２誘電体層１２の誘電体横層部１２Ａ内に配置されていることによって、第１実施例のＰＤＰと同様の技術的効果を発揮することが出来る。
【００５２】
そして、第１実施例の場合には、放電の安定化のために行電極の電極面積を増加させると、対になっている行電極間の静電容量が増加してしまうが、この例におけるＰＤＰは、行電極Ｘ２，Ｙ２が、それぞれ、前面ガラス基板１０の厚さ方向に沿って並設された複数本の分割行電極Ｘ２ａ，Ｙ２ａによって構成されていることによって、行電極Ｘ２，Ｙ２のそれぞれの総電極面積を増加させて発光効率を向上させることが出来るとともに、各分割行電極Ｘ２ａ，Ｙ２ａをそれぞれ幅狭に形成することが出来るので、行電極間の静電容量の増加を抑制することが出来るようになる。
【図面の簡単な説明】
【００５３】
【図１】ＰＤＰの従来例を示す正面図である。
【図２】図１のＶ−Ｖ線における断面図である。
【図３】図１のＷ−Ｗ線における断面図である。
【図４】この発明によるＰＤＰの実施形態における第１実施例を示す正面図である。
【図５】図４のＶ１−Ｖ１線における断面図である。
【図６】同実施例の前面ガラス基板側の構成を示す斜視図である。
【図７】この発明によるＰＤＰの実施形態における第２実施例を示す断面図である。
【図８】同実施例の前面ガラス基板側の構成を示す斜視図である。
【符号の説明】
【００５４】
１０            …前面ガラス基板（一方の基板）
１１            …第１誘電体層（列電極用誘電体層）
１２            …第２誘電体層（行電極用誘電体層）
１２Ａ          …誘電体横層部（横層部）
１２Ｂ          …誘電体縦層部（縦層部）
１３            …背面ガラス基板（他方の基板）
１４            …白色誘電体層
１５            …隔壁
１５Ａ          …縦壁（縦壁部）
１５Ｂ          …横壁（横壁部）
１６            …蛍光体層
Ｃ１            …放電セル（単位発光領域）
Ｄ１            …列電極
Ｘ１，Ｙ１，Ｘ２，Ｙ２    …行電極
Ｘ２ａ，Ｙ２ａ  …分割行電極（電極部分）
ｇ１，ｇ２      …放電ギャップ
ａｄ            …アドレス放電
ｓｄ            …サステイン放電
【図１】
2006302744.tif 000003
【図２】
2006302744.tif 000004
【図３】
2006302744.tif 000005
【図４】
2006302744.tif 000006
【図５】
2006302744.tif 000007
【図６】
2006302744.tif 000008
【図７】
2006302744.tif 000009
【図８】
2006302744.tif 000010